(57)【要約】【課題】  遊技媒体を特殊景品に交換した遊技客が景品交換所に関する位置などの情報を容易、且つ、店舗外で閲覧可能な形態で取得することが可能な景品交換所案内システム及び景品交換所案内方法を提供する。【解決手段】  景品交換所に関する情報を景品交換所に設けられた交換所端末に入力して記憶させる。そして、遊技店において、遊技客が遊技媒体を特殊景品に交換するに際して、交換所端末から交換所情報を取得し、景品の交換内容と共に、交換所情報を記載した景品レシートを発行する。  【選択図】  図１
2005198760.tif 000002
【特許請求の範囲】
【請求項１】
遊技店における景品交換所案内システムにおいて、
景品交換の管理を行う景品管理手段と、
景品の交換内容を示す記録媒体を発行する記録媒体発行手段と、
景品交換所に関する情報を記憶する交換所情報記憶手段と
を具備し、
前記景品管理手段は、特定の景品への交換が指示されると、前記交換所情報記憶手段に記憶されている情報を付加した前記記録媒体を発行する
ことを特徴とする遊技店における景品交換所案内システム。
【請求項２】
遊技店における景品交換所案内システムにおいて、
景品交換の管理を行う景品管理手段と、
景品の交換内容を示す記録媒体を発行する記録媒体発行手段と、
景品交換所に関する情報を記憶する交換所情報記憶手段と
を具備し、
前記景品管理手段は、特定の景品への交換が指示されると、前記記録媒体を発行すると共に、前記交換所情報記憶手段に記憶されている情報を前記特定の景品への交換を選択した遊技客の携帯情報通信端末に送信する
ことを特徴とする遊技店における景品交換所案内システム。
【請求項３】
前記景品管理手段と前記記録媒体発行手段とは、前記遊技店に設けられ、
前記交換所情報記憶手段は、前記景品交換所に設けられる
ことを特徴とする請求項１又は２記載の景品交換所案内システム。
【請求項４】
前記景品交換所における待ち時間を算出する待ち時間算出手段をさらに具備し、
算出される待ち時間を前記景品交換所に関する情報として前記交換所情報記憶手段に記憶する
ことを特徴とする請求項１乃至３記載の景品交換所案内システム。
【請求項５】
前記景品交換所の位置を示す地図情報、又は前記景品交換所の営業時間を示す情報の少なくとも一方を、前記景品交換所に関する情報として前記交換所情報記憶手段に記憶する
ことを特徴とする請求項１乃至４記載の景品交換所案内システム。
【請求項６】
遊技店における景品交換所案内方法において、
前記景品交換所の情報を記憶する交換所情報記憶手段に該景品交換所の情報を入力し、
遊技媒体と景品との交換を管理する景品管理手段に該遊技媒体を特定の景品に交換する指示が行われると、該景品管理手段は、前記交換所情報記憶手段から前記景品交換所の情報を取得し、
前記景品への交換内容を示す情報と共に、前記交換所情報記憶手段から取得した前記景品交換所の情報を記載した記録媒体を発行する
ことを特徴とする遊技店における景品交換所案内方法。
【請求項７】
遊技店における景品交換所案内方法において、
前記景品交換所の情報を記憶する交換所情報記憶手段に該景品交換所の情報を入力し、
遊技媒体と景品との交換を管理する景品管理手段に該遊技媒体を特定の景品に交換する指示が行われると、該景品管理手段は、前記交換所情報記憶手段から前記景品交換所の情報を取得し、
前記景品への交換内容を示す記録媒体を発行し、
前記景品交換所の情報を前記特定の景品への交換を選択した遊技客の携帯情報通信端末に送信する
ことを特徴とする遊技店における景品交換所案内方法。
【発明の詳細な説明】
【技術分野】
【０００１】
本発明は、景品交換所案内システム及び景品交換所案内方法に関し、特に、遊技店外で閲覧可能な形態で景品交換所に関する情報を遊技客に提供する景品交換所案内システム及び景品交換所案内方法に関する。
【背景技術】
【０００２】
パチンコ店などの遊技店では、遊技終了後、遊技客に貸し出していた玉やメダルなどの遊技媒体を様々な景品と交換しており、この景品の中には、景品交換所で買取られるいわゆる特殊景品がある。
【０００３】
この特殊景品に交換する場合は、通常、景品交換に関する情報が記載された景品レシートが発行され、特殊景品及び景品レシート、又は景品レシートを景品交換所に持っていくことにより、特殊景品、又は特殊景品を取得する権利の買取が行われている。
【０００４】
そして、景品交換所の位置や休憩時間などに関する情報は、例えば、遊技店内に設置されている情報端末を操作し、情報端末の画面上に表示することにより取得可能であり、この画面を印刷することが可能な情報端末もある。
【０００５】
この地図などを表示して情報を提供する端末としては、他に、利用者のカードに応じて利用可能な別の現金自動取引装置(ＡＴＭ)に関する情報を画面上に表示するＡＴＭなどがある（例えば、特許文献１参照）。
【特許文献１】特開２００３−３４６２１４号公報
【発明の開示】
【発明が解決しようとする課題】
【０００６】
しかし、情報端末は高価であり、遊技店内に数台しか設置されないことが多く、遊技客は、わざわざ情報端末を探した上に出向かなくてはならないため面倒であり、設置台数が少ないことから、混雑時には、すぐに列ができ、並ばなければならなかった。
【０００７】
また、情報端末で景品交換所の情報が得られることを知らない遊技客もおり、遊技店によっては、景品交換所に関する情報を地図などの張り紙で店内に掲示しているが、地理に不得手な遊技客だと、地図を覚えることができずに景品交換所に辿り着けない場合もあり、そもそも、張り紙自体に気付かない遊技客も少なくない。
【０００８】
そこで、本発明では、遊技媒体を特殊景品に交換した遊技客が景品交換所に関する位置などの情報を容易、且つ、店舗外（遊技店から景品交換所へ移動する途中等）で閲覧可能な形態で取得することが可能な景品交換所案内システム及び景品交換所案内方法を提供することを目的とする。
【課題を解決するための手段】
【０００９】
本発明に係る景品交換所案内システムは、遊技店における景品交換所案内システムにおいて、景品交換の管理を行う景品管理手段と、景品の交換内容を示す記録媒体を発行する記録媒体発行手段と、景品交換所に関する情報を記憶する交換所情報記憶手段とを具備し、景品管理手段は、特定の景品への交換が指示されると、交換所情報記憶手段に記憶されている情報を付加した記録媒体を発行する。
【００１０】
また、本発明に係る景品交換所案内システムは、遊技店における景品交換所案内システムにおいて、景品交換の管理を行う景品管理手段と、景品の交換内容を示す記録媒体を発行する記録媒体発行手段と、景品交換所に関する情報を記憶する交換所情報記憶手段と
を具備し、景品管理手段は、特定の景品への交換が指示されると、記録媒体を発行すると共に、交換所情報記憶手段に記憶されている情報を特定の景品への交換を選択した遊技客の携帯情報通信端末に送信する。
【００１１】
ここで、景品管理手段と記録媒体発行手段とは、遊技店に設けられ、交換所情報記憶手段は、景品交換所に設けられる。
【００１２】
また、景品交換所における待ち時間を算出する待ち時間算出手段をさらに具備し、算出される待ち時間を景品交換所に関する情報として交換所情報記憶手段に記憶する。
【００１３】
また、景品交換所の位置を示す地図情報、又は景品交換所の営業時間を示す情報の少なくとも一方を、景品交換所に関する情報として交換所情報記憶手段に記憶する。
【００１４】
次に、本発明に係る景品交換所案内方法は、遊技店における景品交換所案内方法において、景品交換所の情報を記憶する交換所情報記憶手段に該景品交換所の情報を入力し、遊技媒体と景品との交換を管理する景品管理手段に該遊技媒体を特定の景品に交換する指示が行われると、該景品管理手段は、交換所情報記憶手段から景品交換所の情報を取得し、景品への交換内容を示す情報と共に、交換所情報記憶手段から取得した景品交換所の情報を記載した記録媒体を発行する。
【００１５】
また、本発明に係る景品交換所案内方法は、遊技店における景品交換所案内方法において、景品交換所の情報を記憶する交換所情報記憶手段に該景品交換所の情報を入力し、遊技媒体と景品との交換を管理する景品管理手段に該遊技媒体を特定の景品に交換する指示が行われると、該景品管理手段は、交換所情報記憶手段から景品交換所の情報を取得し、景品への交換内容を示す記録媒体を発行し、景品交換所の情報を特定の景品への交換を選択した遊技客の携帯情報通信端末に送信する。
【発明の効果】
【００１６】
本発明では、景品交換所を訪れる必要のある遊技客に対して、交換所に関する情報を遊技店外で閲覧可能な形態で提供することができる。
【発明を実施するための最良の形態】
【００１７】
以下、本発明に係る景品交換所案内システム及び景品交換所案内方法を実施するための最良の形態について、添付図面を参照して詳細に説明する。
【００１８】
図１は、本発明に係る景品交換所案内システムの構成の一例を示す概略機能ブロック図である。
【００１９】
本実施の形態における景品交換所案内システムには、図１に示すように、交換所端末１０と、景品管理装置２０（請求項の「景品管理手段」に対応）と、景品レシート発行機３０（請求項の「記録媒体発行手段」に対応する）とが設けられ、交換所端末１０と景品管理装置２０とがネットワーク中継機(ＨＵＢ)（図示しない）を介して接続すると共に、景品管理装置２０と景品レシート発行機３０とが接続している。
【００２０】
ここで、交換所端末１０には、制御処理など、交換所端末における各種処理を行う演算処理部１１、演算処理部１１で各種処理を行うためのプログラムを記録するプログラム記録部１２、景品交換所の位置を示す地図情報や休憩時間、景品交換の待ち時間など、交換所に関する情報である交換所情報を記録する交換所情報データベース１３（請求項の「交換所情報記憶手段」に相当する）、景品管理装置２０と接続するための通信インターフェイス(Ｉ／Ｆ)１４、ディスプレイなどの表示部１５、キーボードやマウスなどの操作部１６が設けられている。
【００２１】
そして、交換所端末は、交換所情報を交換所情報データベースに記録して管理すると共に、景品交換所の係員等が操作部を用いて交換所情報を入力すると、交換所情報の記録・更新を行う。
【００２２】
景品管理装置２０には、制御処理など、景品管理装置における各種処理を行う演算処理部２１、演算処理部２１で各種処理を行うためのプログラムを記録するプログラム記録部２２、景品管理装置交換所端末１０や景品レシート発行機３０と接続するための通信Ｉ／Ｆ２３、携帯電話機やＰＤＡ(personal digital assistant)などの携帯情報通信端末４０に情報を送信するデータ送信部２４、遊技客に貸し出されていた玉やメダルなどの遊技媒体の数を記録した玉数レシートなどの計数レシート（図２参照）などに記載されているバーコードを読み取るバーコードリーダ２５、ディスプレイなどの表示部２６、特定の機能が割り当てられた機能ボタンやテンキー、タッチパネルなどからなる操作部２７が設けられている。
【００２３】
そして、景品管理装置は、景品交換に際して、計数レシートのバーコードをバーコードリーダで読み取り、景品の管理を行うと共に、景品交換の内容を示す景品レシート（請求項の「記録媒体」に相当する）の発行を景品レシート発行機に指示する。
【００２４】
景品レシート発行機３０には、景品レシート発行機を制御する制御部３１、景品管理装置２０から受信した情報を一時的に記憶する一時記憶部３２、景品管理装置２０と接続するための通信Ｉ／Ｆ３３、景品レシートを印刷出力する景品レシート発行部３４、ディスプレイなどの表示部３５、特定の機能が割り当てられた機能ボタンやタッチパネルなどからなる操作部３６が設けられている。
【００２５】
そして、景品レシート発行機では、景品管理装置から受信した情報に基づいて、景品レシートを印刷出力する。
【００２６】
さて、上記構成において、本発明に係る景品交換所案内システムでは、まず、交換所情報を交換所端末に入力し、交換所情報データベースに記録すると共に、景品交換待ち時間など、頻繁に変化する情報を景品交換所の係員等が適宜入力し、交換所情報を更新する。
【００２７】
そして、景品管理装置において、特殊景品への交換が指示されると、交換所端末から交換所情報を取得し、交換した特殊景品に関する景品情報と共に、交換所情報を景品レシート発行機に送信し、景品レシート発行機は、景品管理装置から受信した交換所情報に基づいて、景品交換所の位置を示す地図などを付加した景品レシート（図３参照）を印刷出力する。
【００２８】
なお、本実施の形態では、景品管理装置に景品レシート発行機を接続しているが、景品レシートの発行が可能な景品管理装置を用いてもよい。
【００２９】
次に、本実施の形態における景品交換所案内方法を添付図面を参照して詳細に説明する。
【００３０】
図４は、本実施の形態において、交換所情報を付加した景品レシートを発行する際の流れを示すフローチャートである。
【００３１】
まず、交換所端末１０に景品交換所の位置情報(地図)や休憩時間、景品交換の待ち時間などの交換所情報を入力する（ステップ１００）。なお、景品交換待ち時間など、頻繁に変化する情報については、景品交換所の係員等が適宜情報を更新する。
【００３２】
そして、景品管理装置２０は、計数レシートのバーコードを読み取るなどの方法により、遊技客が獲得した遊技媒体の獲得数を取得し（ステップ１０１）、遊技客が遊技媒体と交換する景品を選択する（ステップ１０２）と、特殊景品を選択したか否かの判断を行う（ステップ１０３）。
【００３３】
ここで、特殊景品を選択していないと判断する（ステップ１０３でＮＯ）と、通常景品の交換処理を行い（ステップ１０４）、特殊景品を選択したと判断する（ステップ１０３でＹＥＳ）と、所定の換算率で遊技媒体を特殊景品に換算する（ステップ１０５）。
【００３４】
また、景品管理装置２０は、交換所端末１０に交換所情報の送信を要求し（ステップ１０６）、交換所端末１０は、景品管理装置２０に交換所情報を送信する（ステップ１０７）。
【００３５】
ここで、景品管理装置２０が交換所情報を取得する（ステップ１０８）と、景品情報及び交換所情報を景品レシート発行機３０に送信し（ステップ１０９）、景品レシート発行機３０は、交換所情報を付加した景品交換レシートを印刷出力して発行する（ステップ１１０）。
【００３６】
なお、景品交換所の位置を示す情報など、更新する頻度が低い情報は、景品管理装置に記憶させ、景品交換待ち時間など、更新頻度が高い情報のみ、交換所端末に記憶させ、景品レシートを発行する際に、景品管理装置に記憶されている情報と交換所端末に記憶されている情報とを用いて景品交換レシートに記載する交換所情報を取得するように構成してもよい。
【００３７】
また、景品交換に関する景品情報と交換所情報とは、一つの景品レシートで印刷出力しても、異なる景品レシートに印刷出力してもよい。
【００３８】
さらに、交換所の位置を示す地図に代えて、交換所の位置を示す地図が公開されているＵＲＬ(Uniform Resource Locator)を用いてもよい。
【００３９】
そして、景品レシートに代えて、目視可能な形態で情報を表示することが可能なカード媒体（景品カード）を用いてもよい。この際、景品レシート発行機が景品カード発行機に置き換えられる。
【００４０】
また、景品交換所情報における景品交換待ち時間の更新については、景品交換所の係員が景品交換の為に並ぶ遊技客の人数等を確認して待ち時間を算出し、入力する方法以外に、景品交換所に設置されている監視カメラの映像から遊技客数を導き出し、その遊技客数に平均交換所所要時間を乗じて景品交換待ち時間を算出し、景品交換所情報データベースを所定時間ごとに自動更新する方法を採用することも可能である。
【００４１】
さらには、景品管理装置から発行された景品レシートの枚数から、景品交換所において交換処理を完了した景品レシートの枚数を減ずることによって、交換処理が行われていない景品レシートの枚数を算出し、この枚数に平均交換所要時間を乗じて景品交換待ち時間を算出し、景品交換所情報データベースを更新するようにしてもよい。
【００４２】
監視カメラの映像分析に基づく算出方法や、景品レシートの枚数に基づく算出方法であれば、景品交換所情報データベースの景品交換待ち時間を所定時間ごとに自動的に更新することが可能である。
【００４３】
このように本実施の形態では、遊技媒体を特殊景品に交換した遊技客に対して、景品交換所の位置を示す地図情報等を携帯可能な形で提供することができる。
【００４４】
また、景品交換待ち時間など、刻々と変化する情報をリアルタイムで提供することができる。
【００４５】
ところで、携帯電話やＰＤＡ(personal digital assistant)などの携帯情報通信端末を所持する遊技客も少なくなく、遊技媒体を特殊景品に交換した遊技客の携帯情報通信端末に交換所情報を送信し、図５に表示画面の一例を示すように、景品交換所の位置情報などを携帯情報通信端末の画面に表示させることも可能であり、以下、図面を用いて詳細に説明する。
【００４６】
図６は、本実施の形態において、景品レシートを発行すると共に、交換所情報を遊技客の携帯情報通信端末に提供する際の流れを示すフローチャートである。
【００４７】
まず、交換所端末１０に景品交換所の位置情報(地図)や休憩時間、景品交換の待ち時間などの交換所情報を入力する（ステップ２００）。
【００４８】
そして、景品管理装置２０は、計数レシートのバーコードを読み取るなどの方法により、遊技客が獲得した遊技媒体の獲得数を取得し（ステップ２０１）、遊技客が遊技媒体と交換する景品を選択する（ステップ２０２）と、特殊景品を選択したか否かの判断を行う（ステップ２０３）。
【００４９】
ここで、特殊景品を選択していないと判断する（ステップ２０３でＮＯ）と、通常景品の交換処理を行い（ステップ２０４）、特殊景品を選択したと判断する（ステップ２０３でＹＥＳ）と、所定の換算率で遊技媒体を特殊景品に換算する（ステップ２０５）。
【００５０】
そして、景品情報を景品レシート発行機３０に送信し（ステップ２０６）、景品レシート発行機３０は、景品交換レシートを印刷出力して発行する（ステップ２０７）。
【００５１】
また、景品管理装置２０は、交換所端末１０に交換所情報の送信を要求し（ステップ２０８）、交換所端末１０から景品管理装置２０に交換所情報が送信され（ステップ２０９）、景品管理装置２０が交換所情報を取得する（ステップ２１０）と、交換所情報を遊技客の携帯情報通信端末に送信する（ステップ２１１）。
【００５２】
なお、携帯情報通信端末への交換所情報の送信は、例えば、赤外線や電波などを用いた無線通信機能を用いて行う。
【００５３】
また、Ｅ−ｍａｉｌを用いてを交換所情報を遊技客の携帯情報通信端末に送信することも可能であり、例えば、ステップ２０８で景品管理装置が交換所情報を取得した後、遊技客の携帯情報通信端末で閲覧可能なＥ−ｍａｉｌのアドレスが景品管理装置に入力されると、ステップ２０９で、入力されたＥ−ｍａｉｌアドレスに交換所情報を送信する。
【００５４】
このように、本実施の形態では、遊技媒体を特殊景品に交換した遊技客に対して、景品交換所の位置や景品交換の待ち時間などを示す交換所情報を遊技客の携帯情報通信端末を介して提供することができる。
【００５５】
本発明では、遊技媒体を特殊景品に交換した遊技客が店舗外で閲覧可能な形態で景品交換所の位置や休憩時間などの情報を取得することができるため、容易且つ適切な時間に遊技客が交換所を訪れることが期待できる。
【００５６】
また、交換所の位置などに対する遊技店への問い合わせの減少が期待でき、問い合わせに対応する店員の負担を低減することができる。
【図面の簡単な説明】
【００５７】
【図１】本発明に係る景品交換所案内システムの構成の一例を示す概略機能ブロック図
【図２】計数レシートの一例を示す図
【図３】景品レシートの一例を示す図
【図４】第１の実施の形態において、交換所情報を付加した景品レシートを発行する際の流れを示すフローチャート
【図５】表示画面のの一例を示す図
【図６】第２の実施の形態において、景品レシートを発行すると共に、交換所情報を遊技客の携帯情報通信端末に提供する際の流れを示すフローチャート
【符号の説明】
【００５８】
１０…交換所端末
１１、２１…演算処理部
１２、２２…プログラム記録部
１３…交換所情報データベース
１４、２３、３３…通信インターフェイス
１５、２６、３５…表示部
１６、２７、３６…操作部
２０…景品管理装置
２４…データ送信部
２５…バーコードリーダ
３０…景品レシート発行機
３１…制御部
３２…一次記憶部
３４…景品レシート発行部
４０…携帯情報通信端末
【図１】
2005198760.tif 000003
【図２】
2005198760.tif 000004
【図３】
2005198760.tif 000005
【図４】
2005198760.tif 000006
【図５】
2005198760.tif 000007
【図６】
2005198760.tif 000008